(57)【要約】【課題】  携帯電話機の電池蓋部の着脱を容易とするロック機構を提供する。【解決手段】  携帯電話機の電池蓋部４に溝部１４を備えた凸部１２を設ける。また、第１のフランジ部３１及び第２のフランジ部３２を備え、回転操作可能な回転ロックボタン２１を下筐体１側の機構装着部２０に装着する。ロック時に回転ロックボタン２１をロック方向に回転操作すると、第２のフランジ部３２が電池蓋部４の凸部１２の溝部１４に挿入され、電池蓋部４が下筐体１に対して強固にロックされる。電池蓋部４のロック解除時に回転ロックボタン２１をロック解除方向に回転操作すると、該回転ロックボタン２１の第２のフランジ部３２が上記溝部１４から外れると共に、回転ロックボタン２１の第１のフランジ部３１が、電池蓋部４の凸部１２の下側に潜り込み該電池蓋部４を押し上げて、電池蓋部４と下筐体１との間に隙間を形成し、電池蓋部４の取り外しを容易化する。【選択図】  図１
2008010599.tif 000002
【特許請求の範囲】
【請求項１】
筐体に対して着脱される着脱部材側に設けられ、回転操作方向に沿った溝部を備えた凸状部材と、
上記筐体側に設けられた回転軸部と、
上記回転軸部に対して回転可能に設けられ、上記着脱部材の装着時には、装着方向の回転操作により上記凸状部材の溝部に嵌込し、上記着脱部材の取り外し時には、上記装着方向の回転操作に対して反対方向の回転操作となる取り外し方向の回転操作により、上記凸状部材の溝部から外れる第１のフランジ部と、上記着脱部材の取り外し時には、上記取り外し方向の回転操作により上記着脱部材の凸状部材下に移動することで、該凸状部材を介して上記着脱部材を押し上げ、該着脱部材と上記筐体との間に間隙を形成する第２のフランジ部とを備えた回転操作部と
を有するロック装置。
【請求項２】
請求項１に記載のロック装置であって、
上記着脱部材の取り外し時に上記凸状部材と当接する、上記回転操作部の第２のフランジ部の端部、及び当該第２のフランジ部の端部と当接する上記凸状部材の端部には、それぞれ当接時の摩擦力を軽減するテーパ状の切り欠き加工が施されていること
を特徴とするロック装置。
【請求項３】
請求項２に記載のロック装置であって、
上記第１のフランジ部には、その外周部から突出する凸部が設けられており、
上記筐体側に設けられ、少なくとも上記凸状部材の溝部に上記回転操作部の第１のフランジ部が嵌込する回転位置に、上記回転操作部が回転操作された際に、上記第１のフランジ部の上記凸部が嵌込する嵌込部を備えた回転位置規制板を有すること
を特徴とするロック装置。
【請求項４】
請求項３に記載のロック装置であって、
上記回転位置規制板は、それぞれ上記テーパ状の切り欠き加工が施されている上記第２のフランジ部の端部及び上記凸状部材の端部が当接する直前の回転位置に、上記回転操作部が回転操作された際に、上記第１のフランジ部の上記凸部が嵌込する嵌込部をさらに備えていること
を特徴とするロック装置。
【請求項５】
請求項４に記載のロック装置であって、
上記回転操作部は、その内周側に凸部を有しており、
上記回転軸部は、上記凸状部材の溝部に上記回転操作部の第１のフランジ部が嵌込する回転位置に上記回転操作部が回転操作された際に、上記回転操作部の内周側に設けられた上記凸部と当接して該回転操作部の回転位置を規制するストッパ、及び上記第１のフランジ部が着脱部材の凸状部材下に所定分移動した際に、上記回転操作部の内周側に設けられた上記凸部と当接して該回転操作部の回転位置を規制するストッパをそれぞれ有すること
を特徴とするロック装置。
【請求項６】
請求項１に記載のロック装置であって、
上記筐体は、収納部材を収納する収納部を有し、
上記着脱部材は、上記収納部材を保持する保持爪部を有し、
上記着脱部材は、上記保持爪部で保持した上記収納部材を上記筐体の収納部に収納した状態で、上記筐体に装着されていること
を特徴とするロック装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、或いはノート型のパーソナルコンピュータ装置等の携帯機器の電池蓋のロック機構やかざりパネルのロック機構等に用いて好適なロック装置に関し、特にロック時には強固に蓋等をロックし、取り外し時には蓋等を浮き上がらせることで該蓋等の取り外しを容易としたロック装置に関する。
【背景技術】
【０００２】
特開２００４−２９６９５７号の公開特許公報（特許文献１）に、電池を着脱自在とすると共に、電池の部分を含め防水性能を高度に維持することを目的とした携帯端末装置が開示されている。この携帯端末装置は、一対の内部筐体で開口部を有する電池室を形成し、この内部筐体全体をさらに一対の外部筐体で覆うと共に、この外部筐体の上から被覆するかたちで、上記電池室の開口部に蓋体で蓋をすることで、防水性能を高度に維持するようになっている。
【０００３】
上記蓋体を外部筐体に取り付ける際には、外部筐体の一方の側面部に設けられた係止部に蓋体のフックを引っ掛け、外部筐体の他方の側面部に設けられた係止部に蓋体の留め金具を係止させて、該留め金具のレバーをロック方向に回転操作する。これにより、外部筐体の上から上記電池室の開口部を被覆するかたちで、蓋体が外部筐体に強固に固定される。
【０００４】
反対に、上記蓋体を外部筐体から取り外す際には、上記蓋体の留め金具に設けられているレバーをオープン方向に回転操作し、蓋体の留め金具を外部筐体の係止部から取り外すと共に、蓋体のフックを外部筐体の係止部から取り外す。これにより、外部筐体から蓋体を取り外し可能となる。外部筐体から蓋体を取り外すと、電池室の開口部が露出し、電池の着脱が可能となる。
【０００５】
【特許文献１】特開２００４−２９６９５７号公報（第６頁：図６〜図９）
【発明の開示】
【発明が解決しようとする課題】
【０００６】
しかし、特許文献１に開示されている携帯端末装置の場合、上記電池室の開口部を被覆するかたちで、外部筐体の上から蓋体を固定する構成となっているため、蓋体や当該蓋体の係止機構が大掛かりなものとなるうえ、当該蓋体のために、携帯端末装置のデザインに制約を受ける問題がある。
【０００７】
ここで、係止爪等で電池蓋を筐体に固定する携帯端末装置の場合、電池蓋と筐体とを防水パッキンを介して密着させることで防水を図るようになるのであるが、この場合、防水パッキンにより、電池蓋と筐体とが強固に密着することとなるため、防水パッキンが設けられていない通常の携帯端末装置よりも、電池蓋の取り外しが困難となる問題がある。この問題は、電池蓋側や筐体側に指を引っ掛けるための凹部を設けることで多少は解消することができるが、この凹部を設けると、やはり携帯端末装置の外観が損なわれる問題があう。また、凹部を設けたとしても、防水パッキンを介して筐体に強固に密着した電池蓋を取り外すには、相当の力を必要とする。
【０００８】
本発明は上述の課題に鑑みてなされたものであり、簡単な構成で、機器のデザインを損なうことなく、ロック時には、筐体に対して蓋部を強固に固定することができ、また、取り外し時には、筐体から蓋部を簡単に取り外すことができるようなロック装置の提供を目的とする。
【課題を解決するための手段】
【０００９】
本発明に係るロック装置は、上述の課題を解決するための手段として、
筐体に対して着脱される着脱部材側に設けられ、回転操作方向に沿った溝部を備えた凸状部材と、
上記筐体側に設けられた回転軸部と、
上記回転軸部に対して回転可能に設けられ、上記着脱部材の装着時には、装着方向の回転操作により上記凸状部材の溝部に嵌込し、上記着脱部材の取り外し時には、上記装着方向の回転操作に対して反対方向の回転操作となる取り外し方向の回転操作により、上記凸状部材の溝部から外れる第１のフランジ部と、上記着脱部材の取り外し時には、上記取り外し方向の回転操作により上記着脱部材の凸状部材下に移動することで、該凸状部材を介して上記着脱部材を押し上げ、該着脱部材と上記筐体との間に間隙を形成する第２のフランジ部とを備えた回転操作部と
を有する。
【００１０】
このような本発明は、着脱部材の装着時に回転操作部を装着方向に回転操作すると、回転操作部に設けられた第１のフランジ部が、着脱部材に設けられた凸状部材の溝部に嵌込する。これにより、着脱部材を筐体に対して強固に固定することができる。
【００１１】
また、着脱部材の取り外し時に回転操作部を取り外し方向に回転操作すると、上記凸状部材の溝部から第１のフランジ部が外れると共に、回転操作部の第２のフランジ部が、上記着脱部材の凸状部材下に移動して該凸状部材を介して上記着脱部材を押し上げる。そして、着脱部材と筐体との間に間隙を形成する。これにより、この間隙に指を引っ掛けることで、筐体から着脱部材を簡単に取り外すことができる。
【００１２】
また、着脱部材を押し上げることで上記間隙を形成する構成のため、指を引っ掛ける凹部を設ける必要がなく、本発明が適用される機器の外観が損なわれる不都合を防止することができる。
【発明の効果】
【００１３】
本発明は、簡単な構成で、機器のデザインを損なうことなく、ロック時には、筐体に対して着脱部材を強固に固定することができ、また、取り外し時には、筐体から着脱部材を簡単に取り外すことができる。
【発明を実施するための最良の形態】
【００１４】
本発明は、防水機能を備えた携帯電話機の電池蓋部のロック機構に適用することができる。
【００１５】
［携帯電話機の構成］
この本発明の実施の形態となる携帯電話機は、いわゆるスティック型の携帯電話機となっており、図１に示すように略長方形状の下筐体１を有している。この下筐体１は、ゴム部材で形成された輪ゴム状の防水パッキンを介して、図示しない上筐体と突き合わされ、複数のネジ部２によりネジ止めされるようになっている。
【００１６】
また、下筐体１の略下半分の位置には凹状の電池収納部３が設けられている。この電池収納部３は、下筐体１の全長の略半分程度の長さの電池蓋部４で被覆されるようになっている。また、下筐体１の略中央部には、回転動作により電池蓋部４を当該下筐体１に対して着脱するためのロック機構５が設けられている。このため、電池蓋部４には、下筐体１に装着された際に、ロック機構５を露出させるための半円形状の切り欠き部６が設けられている。
【００１７】
また、当該携帯電話機は、例えば超音波溶着処理や両面テープ等で下筐体１に固定され、上記ネジ部２のネジ孔等を被覆すると共に、上記電池蓋部４の切り欠き部６と突き合わせられることでロック機構５を露出させるための半円形状の切り欠き部７が設けられたカバー８を有している。
【００１８】
〔電池蓋部の構成〕
図２（ａ）〜（ｃ）に、電池蓋部４を裏面側から見た図（＝電池収納部３側から見た図）、電池蓋部４の裏面を右側から見た右側面図、電池蓋部４の裏面を左側から見た左側面図をそれぞれ示す。図１及び図２（ａ）〜（ｃ）からわかるように、電池蓋部４は略長方形の板形状を有しており、長手方向の両側面部に、電池収納部３側に突出するかたちで設けられた一対の保持爪部９を有している。また、電池蓋部４は、上記切り欠き部６が設けられた側面部に対して反対側となる側面部に、下筐体１側に設けられた図１に示す２つの嵌込孔部１０に嵌込する一対の嵌込爪部１１を有している。
【００１９】
また、電池蓋部４の切り欠き部６には、電池蓋部４から電池収納部３にかけて突出する凸部１２が設けられている。この凸部１２は、図２（ａ）に示すように上記切り欠き部６の外径の長さの略２／３程度の長さとなるように、該切り欠き部６の外径に沿って設けられている。また、この凸部１２は、図２（ａ）及び図２（ｂ）に示すように一端部から当該凸部１２の形成方向に沿って徐々に高さが高くなるように切り欠き加工されたテーパ部１３を有している。さらに、この凸部１２には、図２（ｃ）に示すように、当該凸部１２の形成方向に沿って設けられた溝部１４を有している。
【００２０】
また、電池蓋部４には、図２（ａ）〜図２（ｃ）に示すように、上記電池収納部３の外形と略々同じ大きさで、ゴム部材で形成された防水パッキン１５が設けられている。
【００２１】
このような電池蓋部４は、図１に示すように各保持爪部９でホールドした二次電池１６を電池収納部３に収納するかたちで下筐体１に装着される。この際、防水パッキン１５は、下筐体１と当該電池蓋部４との間の隙間を埋めるように作用する。これにより、当該携帯電話機の防水性が維持されるようになっている。
【００２２】
〔ロック機構の構成〕
ロック機構５は、下筐体１側に設けられた機構装着部２０と、この機構装着部２０に装着される略有底円筒形状の回転ロックボタン２１と、機構装着部２０に装着された回転ロックボタン２１の回転位置を規制する回転位置規制板２２とを有している。
【００２３】
図３（ａ）に回転ロックボタン２１を上から見た上面図を、図３（ｂ）に回転ロックボタン２１を左側から見た左側面図を、図３（ｃ）に回転ロックボタン２１を右側から見た右側面図を、図３（ｄ）に回転ロックボタン２１を下から見た底面図を、それぞれ示す。
【００２４】
まず、図３（ａ）からわかるように、この回転ロックボタン２１は、それぞれ側面部から突出するかたちで設けられた第１のフランジ部３１及び第２のフランジ部３１を有している。各フランジ部３１、３２は、それぞれ対角線上に位置するように設けられている。また、回転ロックボタン２１には、例えばコインや専用のオープナーを挿入して、当該回転ロックボタン２１を回転操作するための回転操作用溝部２５が設けられている。
【００２５】
第１のフランジ部３１には、図３（ａ）、図３（ｂ）及び図３（ｄ）に示すように凸部３３が設けられており、この凸部３３が、後に説明する回転位置規制板２２に設けられた凹部と嵌込して回転ロックボタン２１の回転位置を規制するようになっている。
【００２６】
また、第１のフランジ部３１には、図３（ｂ）に示すように当該第１のフランジ部３１の下部から上部にかけて徐々に高さが高くなるように斜めに切り欠き加工されたテーパ部３４が設けられている。このテーパ部３４は、電池蓋部４を取り外す方向（ロック解除方向）に回転ロックボタン２１を回転操作した際に、電池蓋部４の凸部１２に設けられているテーパ部１３を介して、当該第１のフランジ部３１を電池蓋部４の下にスムーズに潜り込ませ、下筐体１から電池蓋部４を浮き上がらせるように作用するようになっている。
【００２７】
また、テーパ部３４は、電池蓋部４の下に第１のフランジ部３１が潜り込んだ状態で電池蓋部４を電池収納部３の方向（＝下筐体１の厚み方向）に押圧された際に、電池蓋部４の凸部１２に設けられているテーパ部１３と当接することで、上記下筐体１の厚み方向の力を、回転ロックボタン２１のロック方向の力に変換し、該回転ロックボタン２１をロック方向に回転させて、該回転ロックボタン２１を回転初期位置まで移動させるように作用するようになっている。
【００２８】
一方、図３（ｃ）に示す第２のフランジ部３２は、ロック方向に回転ロックボタン２１を回転操作した際に、電池蓋部４の凸部１２に設けられた溝部１４に挿入され、該電池蓋部４を下筐体１に対して強固に固定するように作用するようになっている。
【００２９】
次に、図３（ｄ）に示すように、この回転ロックボタン２１は、その内面部に、当該回転ロックボタン２１の回転軸と同軸となるように設けられたネジ孔部３５と、当該回転ロックボタン２１の内周壁から上記ネジ孔部３５側に突出するかたちで設けられた回転位置規制用突出部３６とを有している。
【００３０】
この回転ロックボタン２１は、図４に示すようにゴム部材で形成された防水用のＯリング３７（オーリング）を介して下筐体１側に設けられた機構装着部２０に装着し、下筐体１の裏側（＝当該携帯電話機の内面側）からネジ３８を、図３（ｄ）に示したネジ孔部３５に挿入することで、機構装着部２０にネジ止めされるようになっている。後に詳しく説明するが、このネジ止めにより、回転ロックボタン２１に設けられている回転位置規制用突出部３６が（図３（ｄ）参照）、回転位置に応じて機構装着部２０のいずれかのストッパ４１或いはストッパ４２に当接し、当該回転ロックボタン２１の回転位置が規制されるようになっている。
【００３１】
〔回転位置規制板の構成〕
回転位置規制板２２は、図５に示すように半円の板形状を有しており、一方の端部に固定用の孔部４５が、他方の端部に位置決め用のガイド孔部４６が設けられている。また、その内周面側には、回転ロックボタン２１の第１のフランジ部３１に設けられている凸部３３と嵌込する第１の嵌込部４７及び第２の嵌込部４８が設けられている。
【００３２】
このうち、第１の嵌込部４７は、回転ロックボタン２１に設けられている第１のフランジ部３１が電池蓋部４の下側に潜り込む寸前の回転位置となった際に、該第１のフランジ部３１の凸部３３と嵌込するように、回転位置規制板２２に設けられている。
【００３３】
また、第２の嵌込部４８は、回転ロックボタン２１に設けられている第２のフランジ部３２が電池蓋部４の凸部１２に設けられた溝部１４に完全に嵌込した際に、該第１のフランジ部３１の凸部３３と嵌込するように、回転位置規制板２２に設けられている。
【００３４】
また、回転ロックボタン２１は、第１のフランジ部３１の凸部３３が、当該回転位置規制板２２の第１の嵌込部４７に嵌込した状態から、図５に示すロック解除方向に回転操作可能となっているのであるが、この際、第１の嵌込部４７から外れてロック解除方向に回転移動する上記凸部３３を待避させる必要がある。このため、回転位置規制板２２の他方の端部側は、図５中、点線で示すように内周壁に沿った待避用切り欠き部４９が設けられており、この待避用切り欠き部４９で形成される間隙部に、第１の嵌込部４７から外れてロック解除方向に回転移動する上記凸部３３を待避させるようになっている。
【００３５】
〔機構装着部の構成〕
次に、機構装着部２０は、図１及び図４に示すように回転ロックボタン２１が装着される回転軸部５０と、回転位置規制板２２の第１の嵌込部４５に挿通する固定ピン５１と、回転位置規制板２２の第２の嵌込部４６に嵌込する位置決め凸部５２とを有している。また、この機構装着部２０は、下筐体１に電池蓋部４が装着された際に、該電池蓋部４に設けられている凸部１２（図２（ａ）〜（ｃ）参照）を収納する凸部収納部５４を有している。
【００３６】
回転軸部５０には、回転軸と同軸となるように、上記ネジ３８を挿通させるためのネジ孔部５３が設けられている。また、回転軸部５０には、それぞれネジ孔部５３に対して反対方向に突出させるかたちで設けられた第１のストッパ４１及び第２のストッパ４２が設けられている。このうち、第１のストッパ４１は、回転ロックボタン２１をロック解除方向に回転操作することで、第１のフランジ部３１の略半分程度が電池蓋部４の下側に潜り込んだ状態となった際に、回転ロックボタン２１の回転位置規制用突出部３６（図３（ｄ）参照）と当接して、当該回転ロックボタン２１の回転位置を規制するストッパとなっている。
【００３７】
また、第２のストッパ４２は、回転ロックボタン２１をロック方向に回転操作することで、第１のフランジ部３１の凸部３３が、回転位置規制板２２の第２の嵌込部４８に嵌込した状態となった際に、回転ロックボタン２１の回転位置規制用突出部３６と当接して、当該回転ロックボタン２１の回転位置を規制するストッパとなっている。
【００３８】
図６に、回転位置規制板２２が装着された状態の機構装着部２０を正面から見た平面図を示す。この図５からわかるように、回転位置規制板２２は、第１の嵌込部４５を機構装着部２０の固定ピン５１に挿通させると共に、第２の嵌込部４６を機構装着部２０の位置決め凸部５２に嵌込させることで、該機構装着部２０に装着される。
【００３９】
なお、図４は、回転位置規制板２２の図示を省略した図面となっている。実際には、図６に示したように機構装着部２０に回転位置規制板２２が装着されたうえで、回転ロックボタン２１が該機構装着部２０に装着されるものと理解されたい。
【００４０】
［ロック機構の動作］
次に、このような構成を有する当該実施の形態の携帯電話機における電池蓋部４のロック機構の動作を説明する。
【００４１】
〔ロック動作〕
まず、下筐体１に電池蓋部４を装着する場合、図１に示すように電池蓋部４の各保持爪部９で二次電池１６をホールドさせる。次に、図２（ａ）〜図２（ｃ）に示す電池蓋部４に設けられた各嵌込爪部１１を、図１に示す下筐体１側に設けられた各嵌込孔部１０に挿入し、この状態のまま、電池蓋部４に対して下筐体１方向の力を加える。これにより、電池蓋部４の各保持爪部９でホールドされた二次電池１６が下筐体１の電池収納部３に収納されると共に、図２（ａ）〜図２（ｃ）に示す電池蓋部４の凸部１２が、下筐体１の機構装着部２０に設けられている凸部収納部５４上（図４参照）に位置することとなる。
【００４２】
ここで、以下の「ロック解除動作」で説明するが、当該実施の形態の携帯電話機の場合、ロック解除動作を行うと、回転ロックボタン２１の第１のフランジ部３１に設けられているテーパ部３４が、電池蓋部４の凸部１２に設けられているテーパ部１３と当接し、第１のフランジ部３１の略半分程度が電池蓋部４の下に潜り込み、電池蓋部４の凸部１２を介して該電池蓋部４を押し上げるようになっている。このため、電池蓋部４の装着時には、図７（ａ）に示すように、電池蓋部４の下に潜り込んだ回転位置で停止している回転ロックボタン２１の第１のフランジ部３１のテーパ部３４と、電池蓋部４の凸部１２に設けられているテーパ部１３とが当接した状態となる。
【００４３】
次に、回転ロックボタン２１の第１のフランジ部３１のテーパ部３４と、電池蓋部４の凸部１２に設けられているテーパ部１３とが当接した状態で、さらに下筐体１方向の力を電池蓋部４に加えると、上記各テーパ部３４及びテーパ部１３により、この下筐体１方向の力が図７（ａ）中矢印で示す回転ロックボタン２１のロック方向の力に変換される。そして、電池蓋部４の凸部１２に設けられているテーパ部１３により、回転ロックボタン２１が、上記ロック方向に押し出されるかたちで該ロック方向に回転し、図７（ｂ）に示すように第１のフランジ部３１の凸部３３が、回転位置規制板２２の第１の嵌込部４７に嵌込して該回転ロックボタン２１のロック方向の回転が一旦停止する。この状態は、電池蓋部４が完全に閉まった状態ではあるが、回転ロックボタン２１によりロックはされていない状態である。
【００４４】
次に、この状態で、例えばコインや専用のオープナーを回転ロックボタン２１の回転操作用溝部２５に挿入し、該回転ロックボタン２１を図７中矢印で示すロック方向に回転操作する。これにより、図８に示すように回転ロックボタン２１の第１のフランジ部３１に設けられている凸部３３が、回転位置規制板２２の第２の嵌込部４８に嵌込して該回転ロックボタン２１のロック方向の回転が停止する。また、この際、回転ロックボタン２１の内周側に設けられている回転位置規制用突出部３６は、図９（ａ）に示すように回転軸部５０に設けられている第２のストッパ４２に当接して回転ロックボタン２１の回転を停止する。
【００４５】
さらに、回転ロックボタン２１によりロックはされていない状態から回転ロックボタン２１を図７中矢印で示すロック方向に回転操作すると、図１０に示すように電池蓋部４の凸部１２に設けられている溝部１４に、回転ロックボタン２１の第２のフランジ部３２が入る込む。そして、上記回転ロックボタン２１の回転位置規制用突出部３６が、回転軸部５０の第２のストッパ４２に当接した際に、図８に点線で示すように回転ロックボタン２１の第２のフランジ部３２が電池蓋部４の凸部１２に設けられている溝部１４に完全に嵌込し、電池蓋部４が下筐体１にロックされる。
【００４６】
〔ロック解除動作〕
次に、電池蓋部４を取り外す場合、上述のようにコインや専用のオープナーを回転ロックボタン２１の回転操作用溝部２５に挿入し、該回転ロックボタン２１を図８中矢印で示すロック解除方向に回転操作する。これにより、図８に示す回転ロックボタン２１の第１のフランジ部３１の凸部３３が回転位置規制板２２の第２の嵌込部４８から外れる。そして、回転ロックボタン２１をさらにロック解除方向に回転操作すると、図７（ｂ）に示すように回転ロックボタン２１の第１のフランジ部３１の凸部３３が、回転位置規制板２２の第１の嵌込部４７に嵌込する。また、図７（ｂ）に示す上記凸部３３が第１の嵌込部４７に嵌込した状態となると、回転ロックボタン２１の第２のフランジ部３２は、電池蓋部４の凸部１２に設けられている溝部１４から完全に外れた状態となる。
【００４７】
これにより、電池蓋部４を下筐体１から取り外すことが可能となるのであるが、上述のように電池蓋部４は、防水パッキン１５を介して下筐体１と密着しており、上記凸部３３が第１の嵌込部４７に嵌込した状態のままで下筐体１から電池蓋部４を取り外すことは困難となる。
【００４８】
このため、上記凸部３３が第１の嵌込部４７に嵌込した状態から、上記コインや専用のオープナーを用いてさらに回転ロックボタン２１をロック解除方向に回転操作する。この回転操作がなされると、上記第１の嵌込部４７から上記凸部３３が外れ、図７（ａ）に示すように第１のフランジ部３１の凸部３３が、回転位置規制板２２に設けられている待避用切り欠き部４９で形成される間隙部に移動する。また、第１のフランジ部３１の凸部３３が、回転位置規制板２２に設けられている待避用切り欠き部４９で形成される間隙部に移動すると、図９（ｂ）に示すように回転ロックボタン２１の内周側に設けられている回転位置規制用突出部３６が、回転軸部５０に設けられている第１のストッパ４１に当接して回転ロックボタン２１の回転を停止する。
【００４９】
また、第１のフランジ部３１の凸部３３が回転位置規制板２２の第１の嵌込部４７に嵌込した状態から、上記コインや専用のオープナーを用いてさらに回転ロックボタン２１をロック解除方向に回転操作すると、図７（ａ）に示すように回転ロックボタン２１の第１のフランジ部３１に設けられているテーパ部３４と、電池蓋部４の凸部１２に設けられているテーパ部１３とが当接しながら、該第１のフランジ部３１の略半分程度が電池蓋部４の下に潜り込む。そして、回転ロックボタン２１の第１のフランジ部３１が電池蓋部４の凸部１２を介して該電池蓋部４を押し上げる。
【００５０】
これにより、電池蓋部４の凸部１２が設けられている部分が下筐体１から浮き上がった状態となる。このため、この電池蓋部４の浮き上がった箇所に指を引っ掛けることで、電池蓋部４を下筐体１から簡単に取り外すことができる。
【００５１】
（電池蓋部の保持爪部の作用）
ここで、上述のように二次電池１６は、電池蓋部４に設けられている各保持爪部９でホールドされた状態で下筐体１の電池収納部３に収納されている。このため、第１のフランジ部３１により電池蓋部４が押し上げられると、これに連れて二次電池１６も電池収納部３から浮き上がった状態となる。そして、下筐体１から電池蓋部４を取り外すと、この電池蓋部４と同時に二次電池１６が下筐体１の電池収納部３から取り外される。
【００５２】
通常、電池蓋部４の取り外し操作と二次電池１６の取り外し操作とは、別の操作となるのであるが、当該実施の形態の携帯電話機の場合、電池蓋部４を取り外すと同時に二次電池１６も取り外すことができるため、電池交換作業等の容易化を図ることができる。
【００５３】
［実施の形態の効果］
以上の説明から明らかなように、この実施の形態の携帯電話機は、回転ロックボタン２１に第１のフランジ部３１、第２のフランジ部３２を設ける。また、電池蓋部４に凸部１２を設けると共に、この凸部１２に、回転ロックボタン２１の回転操作に応じて第２のフランジ部３２が嵌込する溝部１４を設ける。そして、ロック時には、回転ロックボタン２１をロック方向に回転操作して、該回転ロックボタン２１に設けられている第２のフランジ部３２を、電池蓋部４の凸部１２に設けられている溝部１４に嵌込させる。これにより、簡単な回転操作で、下筐体１に対して電池蓋部４を強固にロックすることができる。
【００５４】
また、ロック解除時には、回転ロックボタン２１をロック解除方向に回転操作して、該回転ロックボタン２１に設けられている第２のフランジ部３２を、電池蓋部４の凸部１２に設けられている溝部１４から外すと共に、該回転ロックボタン２１の第１のフランジ部３１で、電池蓋部４の凸部１２を介して該電池蓋部４を押し上げる。これにより、電池蓋部４の、この押し上げられた箇所に指を引っ掛け、電池蓋部４を容易に下筐体１から取り外し可能とすることができる。
【００５５】
また、電池蓋部４に溝部１４を備えた凸部１２を設けると共に、第１のフランジ部３１及び第２のフランジ部３２を備えた回転ロックボタン２１を設けだけの簡単な構成で実現することができる。
【００５６】
また、第１のフランジ部３１で、電池蓋部４の凸部１２を介して該電池蓋部４を押し上げる構成のため、電池蓋部４に、指を引っ掛けるための凹部を設ける必要がなく、この凹部を設けたことにより当該携帯電話機の外観が損なわれる不都合を防止することができる。
【００５７】
また、電池蓋部４に各保持爪部９を設け、この各保持爪部９で二次電池１６をホールドさせたうえで下筐体１の電池収納部３に収納することで、電池蓋部４を取り外すと同時に二次電池１６も取り外すことができる。このため、電池蓋部４の取り外し操作及び二次電池１６の取り外し操作を同時に行うことができ、電池交換作業等の容易化を図ることができる。
【００５８】
［変形例］
上述の実施の形態の説明では、本発明を携帯電話機の電池蓋部４のロック機構に適用することとしたが、本発明は、携帯電話機の飾りパネルのロック機構等にも適用することができる。そして、この場合でも、上述と同じ効果を得ることができる。
【００５９】
また、上述の実施の形態の説明では、本発明を携帯電話機に適用することとしたが、本発明は、この携帯電話機以外であっても、ＰＨＳ電話機（PHS：Personal Handyphone System）、ＰＤＡ装置（PDA：Personal Digital Assistant）、或いはノート型のパーソナルコンピュータ装置や携帯ゲーム機等の携帯機器に適用することができる。そして、いずれの場合でも上述と同じ効果を得ることができる。
【００６０】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００６１】
【図１】本発明を適用した実施の形態となる携帯電話機の要部の分解斜視図である。
【図２】実施の形態の携帯電話機の電池蓋部の裏面を示す図である。
【図３】実施の形態の携帯電話機に設けられる回転ロックボタンを示す図である。
【図４】実施の形態の携帯電話機の下筐体に設けられた機構装着部に回転ロックボタンが装着される様子を示す分解斜視図である。
【図５】実施の形態の携帯電話機の下筐体に設けられた機構装着部に装着される回転位置規制板を示す図である。
【図６】実施の形態の携帯電話機の下筐体に設けられた機構装着部に装着された回転位置規制板を示す図である。
【図７】実施の形態の携帯電話機における電池蓋部４のロック機構のロック動作及びロック解除動作を説明するための図である。
【図８】実施の形態の携帯電話機における電池蓋部４のロック機構のロック動作及びロック解除動作を説明するための図である。
【図９】電池蓋部４のロック時及びロック解除時における、回転ロックボタンの回転位置規制用突出部の回転停止位置を示す図である。
【図１０】電池蓋部４のロック時に、電池蓋部４の凸部に設けられている溝部に、回転ロックボタンの第２のフランジが嵌込する様子を示す斜視図である。
【符号の説明】
【００６２】
１  下筐体、２  ネジ部、３  電池収納部、４  電池蓋部、５  ロック機構、６  電池蓋部の切り欠き部、７  カバーの切り欠き部、８  カバー、９  電池蓋部の保持爪部、１０  電池蓋部の嵌込爪部を挿入するための嵌込孔部、１１  電池蓋部の嵌込爪部、１２  電池蓋部の凸部、１３  電池蓋部の凸部に設けられたテーパ部、１４  電池蓋部の凸部に設けられた溝部、１５  電池蓋部の防水パッキン、１６  二次電池、２０  機構装着部、２１  回転ロックボタン、２２  回転位置規制板、２５  回転ロックボタンの回転操作用溝部、３１  回転ロックボタンの第１のフランジ部、３２  回転ロックボタンの第２のフランジ部、３３  第１のフランジ部の凸部、３４  第１のフランジ部のテーパ部、３５  回転ロックボタンのネジ孔部、３６  回転ロックボタンの回転位置規制用突出部、３７  Ｏリング（オーリング）、３８  回転ロックボタンを固定するネジ、４１  回転ロックボタンの回転位置を規制する第１のストッパ、４２  回転ロックボタンの回転位置を規制する第２のストッパ、４５  回転位置規制板の固定用の孔部、４６  回転位置規制板の位置決め用のガイド孔部、４７  回転位置規制板の第１の嵌込部、４８  回転位置規制板の第２の嵌込部、４９  第１のフランジ部の凸部を待避させる待避用切り欠き部、５０  回転ロックボタンを装着する回転軸部、５１  回転位置規制板を固定する固定ピン、５２  回転位置規制板の位置決めを行う位置決め凸部、５３  機構装着部のネジ孔部、５４  電池蓋部の凸部を収納する機構装着部の凸部収納部
【図１】
2008010599.tif 000003
【図２】
2008010599.tif 000004
【図３】
2008010599.tif 000005
【図４】
2008010599.tif 000006
【図５】
2008010599.tif 000007
【図６】
2008010599.tif 000008
【図７】
2008010599.tif 000009
【図８】
2008010599.tif 000010
【図９】
2008010599.tif 000011
【図１０】
2008010599.tif 000012